(57)【特許請求の範囲】
【請求項１】
音響開口穴と開口穴とが設けられた筐体と、前記筐体の背後に配置したパッキングとで形成する携帯電子機器の音穴防水・排水構造において、
前記パッキングは、ループ形状のリブと、前記リブに囲まれた範囲に前記リブの突出方向に突出する頂部を有するすり鉢形状部と、前記すり鉢形状部から前記リブの頂部に向かって前記筐体に近付くように傾斜する傾斜面とを備え、
前記リブが前記音響開口穴および開口穴を囲い、前記すり鉢形状部が前記音響開口穴と対向し、前記傾斜面が前記開口穴に対向するように前記パッキングを前記筐体に対して配置することを特徴とする携帯電子機器の音穴防水・排水構造。
【請求項２】
前記すり鉢形状部の背後にＥＣＭが配置される請求項１の携帯電子機器の音穴防水・排水構造。
【請求項３】
前記すり鉢形状部の背後にスピーカが配置される請求項１の携帯電子機器の音穴防水・排水構造。
【発明の詳細な説明】
【技術分野】
【０００１】
この発明は携帯無線機等の携帯電子機器の音穴防水・排水構造に関する。
【背景技術】
【０００２】
従来のマイクロホンやスピーカ等の音響機器を有する携帯電子機器では、音響用の開口部が１個または複数個設けられている。そして、この開口部から水が筐体内部に侵入しないように開口部を塞ぐ薄膜の防水膜やパッキングが設けられている。
【０００３】
特開２０００４−３１２１５６号公報に開示されたものは、筐体内部に配置されたマイクロホン前方の音響用の開口穴から水が筐体内部に侵入しないように筐体に防水膜が張り付けられている。そして筐体外部側の開口穴と対向する位置にカバーが設けられ、カバーの上下または左右の対向する位置に夫々開口穴と連通路する開口部が形成されている。カバーは開口穴と略同じ大きさであり、筐体表面よりも若干外部に突出している。
【０００４】
また、一方の開口部の端面の筐体表面を隆起させ、他方の開口部の端面の筐体表面を隆起させていない。このような構成により、開口穴から水が侵入して防水膜の外側に水が溜まった場合に、一方の開口部から息を吹き込むことにより他方の開口部から排出される。そして、開口部端面を隆起させているため、少ない降雨では開口部から水が侵入しにくい構成となっている。
【特許文献１】特開２００４−３１２１５６号公報、段落００１２〜段落００１５、図１、図２
【発明の開示】
【発明が解決しようとする課題】
【０００５】
上記した特開２０００４−３１２１５６号公報に開示された音響用開口部の排水構造では、音響部品であるマイクロホン前方の防水膜が音響部品方向と垂直の平面に形成されているため、音響用の開口穴から水が侵入すると、表面張力により音響部品の前に水が溜まってしまう。そして、この水を排出するために、息を吹き込こまなければならず、面倒な作業が必要となる。
【０００６】
また、音響部品の前に水が溜まった状態では、音響部品は本来の性能を発揮しない。さらに、音響部品の前に繰り返し水が溜まったり、その水が長期間に渡り排水されないと、防水膜に悪影響を及ぼす恐れがあった。
【０００７】
この発明は上記した点に鑑みてなされたものであって、その目的とするところは、音響部品の前に水が溜まることのない携帯電子機器の音穴防水・排水構造を提供することにある。
【課題を解決するための手段】
【０００８】  この発明の携帯電子機器の音穴防水・排水構造は、音響開口穴と開口穴とが設けられた筐体と、前記筐体の背後に配置したパッキングとで形成する携帯電子機器の音穴防水・排水構造において、前記パッキングは、ループ形状のリブと、前記リブに囲まれた範囲に前記リブの突出方向に突出する頂部を有するすり鉢形状部と、前記すり鉢形状部から前記リブの頂部に向かって前記筐体に近付くように傾斜する傾斜面とを備え、前記リブが前記音響開口穴および開口穴を囲い、前記すり鉢形状部が前記音響開口穴と対向し、前記傾斜面が前記開口穴に対向するように前記パッキングを前記筐体に対して配置するものである。【００１１】
また、前記携帯電子機器の音穴防水・排水構造において、前記すり鉢形状部の背後にＥＣＭが配置されるものである。
【００１２】
また、同携帯電子機器の音穴防水・排水構造において、前記すり鉢形状部の背後にスピーカが配置されるものである。
【発明の効果】
【００１３】
この発明の携帯電子機器の音穴防水・排水構造によれば、音響部品の前に水が溜まらないため、音がこもりにくく音響部品の性能が損なわれない。
【００１４】
また、音響開口穴に水が侵入している場合にも他の開口穴が音道として作用するため、音響部品と筐体外部との音の伝導が損なわれない。
【発明を実施するための最良の形態】
【００１５】
以下この発明を実施するための最良の形態を実施例に即して説明する。
【００１６】
図１はこの発明の実施例である携帯電子機器の音穴防水・排水構造を示す断面図である。図１に示す音響開口穴１ａおよび開口穴１ｂが設けられた筐体１の背後に略板形状のパッキング２が配置されてホルダー４によりパッキング２のループ状のリブ２ａが筐体１の内面に圧接されるように保持されている。
【００１７】
図２に詳しく示すように、筐体１の音響開口穴１ａおよび開口穴１ｂはリブ２ａに囲まれた範囲内に開口しており、開口穴１ｂは図３にも示す通常の使用状態で音響開口穴１ａの下方に位置している。
【００１８】  そして、図１に示すように音響開口穴１ａの背後に、パッキング２に設けられたすり鉢形状部２ｂが音響開口穴１ａ方向に突出するように位置している。すり鉢形状部２ｂの頂部には厚肉部２ｄが形成されている。【００１９】
すり鉢形状部２ｂの背後に、ホルダー４に支持されたＥＣＭ（electric condenser microhon)３が位置している。
【００２０】
パッキング２のリブ２ａに囲まれた範囲は筐体１から離れており、筐体１との間に空隙が形成されている。この空隙とパッキング２の背後の筐体内部との間に隙間がなく、パッキング２は防水機能を有している。パッキング２の表面のすり鉢形状部２ｂの下方から開口穴１ｂと対向する位置の間に下側が筐体１の内面に近付くように傾斜する傾斜面２ｃが設けられている。
【００２１】  上記構成において、外部から音響開口穴１ａまたは開口穴１ｂを通して伝えられた音は鉢形状部２ｂを振動させてＥＣＭ３に伝えられる。すり鉢形状部２ｂ背後のＥＣＭ３前面の空間は音響キャビティとなるが、すり鉢形状部２ｂの厚肉部２ｄはこの音響キャビティの音響特性を改善している。【００２２】  音響開口穴１ａから矢印Ａで示すように筐体１とパッキング２との間の空隙に侵入した水は矢印Ｂで示すようにすり鉢形状部２ｂの周囲を回り重力により矢印Ｃで示すように開口穴１ｂ方向に流れる。このため、侵入した水はすり鉢形状部２ｂ近傍に溜まることがなく、音質が保全される。【００２３】
開口穴１ｂの近傍に溜まった水は重力による圧力で開口穴１ｂから矢印Ｄで示すように外部に排出される。開口穴１ｂは排水性能を高めるために長穴に形成されている。このように、使用状態で音響開口穴１ａから侵入した水は排出のための作業をすることなく、自然に排出される。開口穴１ｂの近傍に水が溜まっていないときは、開口穴１ｂも音道として作用するので音がこもることが防止される。
【００２４】
実施例は以上のように構成されているが発明はこれに限られず、例えば、マイクロホンの代わりにスピーカにもこの発明を利用できる。
【００２５】
また、開口穴は１つに限られず、２以上の姿勢で使用されるものは、夫々の使用状態で音響開口穴１ａの下となる位置に開口穴を設けてもい。
【図面の簡単な説明】
【００２６】
【図１】この発明の実施例である携帯電子機器の音穴防水・排水構造を示す断面図である。
【図２】同音穴防水・排水構造の部分を示す正面図である。
【図３】同音穴防水・排水構造の外観を示す斜視図である。
【符号の説明】
【００２７】
１  筐体、１ａ  音響開口穴、１ｂ  開口穴
２  パッキング、２ａ  リブ、２ｂ  すり鉢形状部、２ｃ  傾斜面、２ｄ  厚肉部
３  ＥＣＭ
４  ホルダー
【図１】
0005104056.tif 000002
【図２】
0005104056.tif 000003
【図３】
0005104056.tif 000004